(57)【要約】【課題】  アジ化物の検出を、電気化学的方法により、簡便な操作及び装置で、高精度かつ高感度に、高速で行うことができる測定方法を提供する。【解決手段】  測定対象のアジ化物を含有する試料溶液に、対電極と非金属からなる作用電極とを接触させ、前記対電極と前記非金属からなる作用電極との間に電圧を印加して、当該電圧下における電流値を測定し、前記試料溶液を電気化学的に分析する。【選択図】  図６
2007064945.tif 000002
【特許請求の範囲】
【請求項１】
測定対象のアジ化物を含有する試料溶液に、対電極と非金属からなる作用電極とを接触させ、前記対電極と前記非金属からなる作用電極との間に電圧を印加して、当該電圧下における電流値を測定し、前記試料溶液を電気化学的に分析することを特徴とするアジ化物の測定方法。
【請求項２】
前記非金属からなる作用電極は、カーボン電極である請求項１記載のアジ化物の測定方法。
【請求項３】
前記カーボン電極は、導電性ダイヤモンド電極である請求項２記載のアジ化物の測定方法。
【請求項４】
前記導電性ダイヤモンド電極は、１３族又は１５族の元素の混入により導電性を付与したダイヤモンド薄膜を有するものである請求項３記載のアジ化物の測定方法。
【請求項５】
前記導電性ダイヤモンド電極は、ホウ素、窒素、及び、リンからなる群より選択される少なくとも一種の元素の混入により導電性を付与したダイヤモンド薄膜を有するものである請求項３又は４記載のアジ化物の測定方法。
【請求項６】
前記導電性ダイヤモンド電極は、ボロンドープダイヤモンド電極である請求項３乃至５のいずれか１項記載のアジ化物の測定方法。
【請求項７】
予め作成された測定対象のアジ化物の濃度と電流値との検量線と、得られた電流値とを対比することにより、得られた電流値から試料溶液中の測定対象のアジ化物の濃度を算出する請求項１乃至６のいずれか1項記載のアジ化物の測定方法。
【請求項８】
前記対電極と前記非金属からなる作用電極との間に印加する電圧は、最大電流値を与える電圧であることを特徴とする請求項１乃至７のいずれか１項記載のアジ化物の測定方法。
【請求項９】
測定対象のアジ化物を含有する試料溶液に、更に参照電極を接触させて、前記対電極と前記非金属からなる作用電極との間に印加する電圧の絶対値を制御する請求項１乃至８のいずれか１項記載のアジ化物の測定方法。
【請求項１０】
前記試料溶液のアジ化物の濃度が２０μｇ／ｍｌ以下である請求項１乃至９のいずれか１項記載のアジ化物の測定方法。
【請求項１１】
試料溶液中の測定対象のアジ化物を検出するための測定装置であって、
対電極及び非金属からなる作用電極を内蔵するセルと、
前記対電極及び前記非金属からなる作用電極に電圧を印加する手段と、
当該印加電圧下における電流値を測定する手段と、
得られた電流値からアジ化物を検出する情報処理装置とを備えていることを特徴とするアジ化物の測定装置。
【請求項１２】
前記非金属からなる作用電極は、導電性ダイヤモンド電極である請求項１１記載のアジ化物の測定装置。
【請求項１３】
前記導電性ダイヤモンド電極は、ボロンドープダイヤモンド電極である請求項１２記載のアジ化物の測定装置。
【請求項１４】
セルは更に参照電極を内蔵しており、
更に前記対電極と前記非金属からなる作用電極との間に印加する電圧の絶対値を制御する手段を備えている請求項１１乃至１３のいずれか１項記載のアジ化物の測定装置。
【発明の詳細な説明】
【技術分野】
【０００１】
この発明は、アジ化物の検出を、電気化学的方法により、簡便な操作及び装置で、高精度かつ高感度に、高速で行うことができる測定方法に関するものである。
【背景技術】
【０００２】
従来、アジ化ナトリウムは防腐剤、農薬原料、起爆剤等として用いられている。しかしながら、アジ化ナトリウムを体内に摂取すると、ヘモグロビンと不可逆的な結合を形成し、細胞の酸素取り込みが阻害されるため、近時人体に対する影響が指摘されており、１９９９年より毒物及び劇物取締法において毒物に指定されている。
【０００３】
このようなアジ化ナトリウムを測定する方法としては、液体クロマトグラフィー法しかないのが現状である。しかしながら、液体クロマトグラフィー法による測定は時間がかかり、迅速な測定を行うことはできない。
【発明の開示】
【発明が解決しようとする課題】
【０００４】
一方、アジ化ナトリウムを電気化学的に測定することも試みられているが、一般に用いられる銅電極（ａ）、ニッケル電極（ｂ）、白金電極（ｃ）等の金属電極では図７に示すようにピークが見られず、アジ化ナトリウムを測定することができなかった。なお、図７はリン酸緩衝液を含む３．８５ｍｍｏｌ／Ｌアジ化ナトリウム（ＮａＮ３）水溶液をサンプルとして直線掃引（１００ｍＶ／ｓ）によるサイクリックボルタンメトリーを行い得られたボルタモグラムを示す。
【０００５】
そこで本発明は、アジ化物の検出を、電気化学的方法により、簡便な操作及び装置で、高精度かつ高感度に、高速で行うことができる測定方法を提供すべく図ったものである。
【課題を解決するための手段】
【０００６】
すなわち本発明に係るアジ化物の測定方法は、対電極と非金属からなる作用電極とを接触させ、前記対電極と前記非金属からなる作用電極との間に電圧を印加して、当該電圧下における電流値を測定し、前記試料溶液を電気化学的に分析することを特徴とする。
【０００７】
本発明に係るアジ化物の測定方法は、本発明者が、金属電極では測定不能であったアジ化ナトリウム等のアジ化物も導電性ダイヤモンド電極等の非金属からなる電極を用いれば電気化学的に測定可能であることを初めて見出したことによるものである。
【０００８】
本発明において測定対象となるアジ化物としては特に限定されないが、アジ化ナトリウム、アジ化カリウム等が挙げられる。
【０００９】
本発明に用いる非金属からなる作用電極としてはカーボン電極が挙げられるが、カーボン電極としては導電性ダイヤモンド電極が好適に用いられる。
【００１０】
前記導電性ダイヤモンド電極としては、１３族又は１５族の元素の混入により導電性を付与したダイヤモンド薄膜を有するものが挙げられ、なかでも、ホウ素、窒素、及び、リンからなる群より選択される少なくとも一種の元素を混入したものが好ましく、特に、ホウ素を混入したボロンドープダイヤモンド電極が好適である。
【００１１】
本発明に係るアジ化物の測定方法において、得られた電流値から試料溶液中の測定対象であるアジ化物の濃度を算出するには、予め作成された測定対象のアジ化物の濃度と電流値との検量線と、得られた電流値とを対比することによる。
【００１２】
前記対電極と前記非金属からなる作用電極との間に印加する電圧は、最大電流値を与える電圧であることが好ましい。
【００１３】
本発明に係るアジ化物の測定方法は、作用電極及び対電極を用いる二電極法によるものでもよいが、高感度及び高精度の測定を行う場合は、更に参照電極を用いる三電極法によるのが好ましく、測定対象のアジ化物を含有する試料溶液に、更に参照電極を接触させることにより、作用電極と対電極との間に印加する電圧の絶対値を制御してもよい。
【００１４】
本発明に係るアジ化物の測定方法によれば、高濃度のアジ化物溶液は言うまでもなく、２０μｇ／ｍｌ以下の低濃度のアジ化物溶液も精度よく測定することができる。
【００１５】
本発明に係るアジ化物の測定方法は、例えば以下のような構成を有する測定装置によって実施することができる。即ち、試料溶液中の測定対象のアジ化物を検出するための測定装置であって、対電極及び非金属からなる作用電極を内蔵するセルと、前記対電極及び前記非金属からなる作用電極に電圧を印加する手段と、当該印加電圧下における電流値を測定する手段と、得られた電流値からアジ化物を検出する情報処理装置とを備えているアジ化物の測定装置である。
【００１６】
当該測定装置において、非金属からなる作用電極は、導電性ダイヤモンド電極であることが好ましく、なかでも、ボロンドープダイヤモンド電極がより好ましい。
【００１７】
また、本測定装置は、セルが更に参照電極を内蔵しており、更に作用電極と対電極との間に印加する電圧の絶対値を制御する手段を備えているものであってもよい。
【発明の効果】
【００１８】
このように本発明によれば、アジ化物の検出を、簡便な操作及び装置で、高精度かつ高感度に、高速で行うことができる。
【発明を実施するための最良の形態】
【００１９】
以下、本発明に用いる電気化学測定装置の一実施形態を図面を参照して説明する。
【００２０】
図１は本発明に係るアジ化物の測定方法を実施するための装置の一実施形態を示すものであり、電気化学測定用のフローセルを用いた液体注入型の電気化学測定装置（フローインジェクション分析装置）の概略を示している。
【００２１】
フローインジェクション分析は、定量ポンプ等を用いて制御された連続流れをつくりだし、この流れの中で種々の反応、分離や試料注入等を行い、末端に設置したフローセルを備えた検出器により溶液中の成分を分析する方法である。
【００２２】
図１に示す電気化学測定装置は、流路の上流側から、ポンプ２に続いて、対電極４、作用電極５及び参照電極６が内蔵されたフローセル３が配置されており、対電極４、作用電極５及び参照電極６は、ポテンショガルバノスタット７に接続され、更にポテンショガルバノスタット７には情報処理装置８が接続されている。
【００２３】
図１に示す電気化学測定装置を用いて測定対象であるアジ化物の濃度を測定する場合、まず、測定対象のアジ化物を含む試料溶液１がポンプ２によってフローセル３に送られる。フローセル３内において、内蔵された対電極４、作用電極５及び参照電極６が試料溶液１に接触した状態で、作用電極５と対電極４との間に電圧が印加されることにより電気化学的反応が起こる。当該電気化学的反応によって生じた電流値（電気信号）はポテンショガルバノスタット７に伝達し各電極における信号の制御・検出が行われる。ポテンショガルバノスタット７で検出された信号は情報処理装置８により解析され、各種アジ化物の検出、濃度の測定が行われる。測定が終了した試料溶液１は電気化学測定装置外に排出される。
【００２４】
前記ポンプ２としては一定速度で試料溶液１をフローセル３に送ることができるものであれば特に限定されず、例えば液体クロマトグラフィー用ポンプ等を用いることができる。
【００２５】
前記フローセル３は、図２に示すように、作用電極５、対電極４、及び、参照電極６が、試料溶液１が流れる流路３１内に露出され、試料溶液１と接触できるよう構成されている。作用電極５が導電性ダイヤモンド電極である場合、ダイヤモンド薄膜が、流路３１内に露出され、試料溶液１と接触する。試料溶液１は、流路３１の流入口３２から入り、図中の矢印のように流れ、流出口３３に至る。そして、作用電極５と対電極４との間に電圧が印加されることにより、試料溶液１中で電気化学的反応が起こる。作用電極５の形態は、マイクロ電極であってもよく、回転電極であってもよい。
【００２６】
前記作用電極５としては、導電性ダイヤモンド電極等のカーボン電極を用いることができる。
【００２７】
ダイヤモンドは本来優れた絶縁体である。しかしながら、１３族や１５族の不純物を添加することによって、半導体〜金属様の導電性を示すようになる。本発明では、半導体〜金属様の導電性を示すダイヤモンドを電極として使用する。
【００２８】
このようなダイヤモンドに導電性を付与するために混入する物質としては、上記の通り１３族及び１５族の元素が挙げられ、より好ましくはホウ素、窒素、リンが挙げられ、更に好ましくはホウ素である。高濃度でホウ素をドープしたボロンドープダイヤモンド電極は、電位窓が広く（酸化電位及び還元電位が広い）、他の電極材料と比較してバックグラウンド電流が低いといった有利な性質を有している。また、ボロンドープダイヤモンド電極は、化学的耐性、耐久性、電気伝導度、耐腐食性等にも優れている。
【００２９】
これらのダイヤモンドに導電性を付与するために混入する物質の添加量は、ダイヤモンドに導電性を付与できる範囲で適宜決定されてよいが、例えば１×１０−２〜１０−６Ωｃｍ程度の導電性を与える量であることが好ましく、当該添加量は一般的には製造工程において制御される。
【００３０】
導電性ダイヤモンドそれ自体を基材の支持によらず電極とすることも可能であるが、基材上に導電性ダイヤモンドの薄膜を形成し、この薄膜に導線を接続させ、電極とすることが好ましい。基材としては、Ｓｉ（例えば、単結晶シリコン）、Ｍｏ、Ｗ、Ｎｂ、Ｔｉ、Ｆｅ、Ａｕ、Ｎｉ、Ｃｏ、Ａｌ２Ｏ３、ＳｉＣ、Ｓｉ３Ｎ４、ＺｒＯ２、ＭｇＯ、黒鉛、単結晶ダイヤモンド、ｃＢＮ、石英ガラス等が挙げられ、特に単結晶シリコン、Ｍｏ、Ｗ、Ｎｂ、Ｔｉ、ＳｉＣ、単結晶ダイヤモンドが好適に用いられる。
【００３１】
導電性ダイヤモンド薄膜の厚さは、特に限定されないが、１〜１００μｍ程度の厚さが好ましく、より好ましくは５〜５０μｍ程度である。
【００３２】
本発明においては、導電性ダイヤモンド電極は、マイクロ電極の形態をとっていてもよい。ここで、マイクロ電極形態のダイヤモンド電極とは、例えばＰｔ等の細線の末端を鋭利に切断し、電解研磨により末端を更に鋭利にした後、その末端表面に導電性ダイヤモンドの薄膜を形成した構成のものをいう。
【００３３】
導電性ダイヤモンド薄膜は、化学気相成長法により製造することができる。化学気相成長法とは、気相中で気体原料を化学反応させて物質を合成する方法であり、ＣＶＤ（Ｃｈｅｍｉｃａｌ
Ｖａｐｏｒ Ｄｅｐｏｓｉｔｉｏｎ）法と一般に呼ばれる。この方法は、半導体製造プロセスにおいて広く利用されており、本発明における導電性ダイヤモンド薄膜の製造にも合目的な改変のもと利用可能である。
【００３４】
ダイヤモンドの化学気相合成は、メタン等の含炭素気体と水素を混合したものを原料気体として、それを励起源により励起させ、基板上に供給して堆積させることにより行われる。
【００３５】
励起源としては、熱フィラメント、マイクロ波、高周波、直流グロー放電、直流アーク放電、燃焼炎等が挙げられる。また、これらを複数組み合わせて核生成密度を調整し、大面積化や均一化をはかることも可能である。
【００３６】
原料としては、炭素が含まれており、励起源により分解・励起されて、Ｃ、Ｃ２等の活性な炭素、及び、ＣＨ、ＣＨ２、ＣＨ３、Ｃ２Ｈ２等の炭化水素ラジカルを生じさせる種々の化合物を用いることができ、好ましい具体例としては、気体としてＣＨ４、Ｃ２Ｈ２、Ｃ２Ｈ４、Ｃ１０Ｈ１６、ＣＯ、ＣＦ４、液体としてＣＨ３ＯＨ、Ｃ２Ｈ５ＯＨ、（ＣＨ３）２ＣＯ、固体として黒鉛、フラーレン等が挙げられる。
【００３７】
化学気相合成法において、ダイヤモンドに導電性を付与する物質の添加は、例えば添加物質のディスクを系内に置き、炭素源原料と同様に励起させ、炭素気相に添加物質を導入する方法、炭素源に予め添加物質を添加し、系内に炭素源と共に導入し、励起源により励起し、炭素気相に添加物質を導入する方法等により行うことができる。なかでも、後者の方法が好ましい。とりわけ、炭素源としてアセトン、メタノール等の液体を用いる場合、これに酸化ボロン（Ｂ２Ｏ３）を溶解してボロン源とする方法が、ボロンの濃度の制御が容易で、かつ簡便であることから好ましい。化学気相合成法において、炭素源にホウ素を添加する場合、１０〜１２，０００ｐｐｍ程度が一般的であるが、１，０００〜１０，０００ｐｐｍ程度が好ましい。
【００３８】
化学気相合成法としては、プラズマ化学気相合成法が好適に用いられる。このプラズマ化学気相合成法は、化学反応を引き起こす活性化エネルギーが大きく、反応が速いとの利点を有する。更に、この方法によれば、熱力学的に高温でなければ存在しない化学種を生成して、低い温度での反応が可能となる。プラズマ化学気相合成法による導電性ダイヤモンド薄膜の製造は、例えば、Ｙａｎｏ
ｅｔ ａｌ．，Ｊ．Ｅｌｅｃｔｒｏｃｈｅｍ．Ｓｏｃ．，１４５（１９９８）１８７０に記載の方法に従って行うことができる。
【００３９】
本発明で用いるボロンドープダイヤモンド電極は、例えば、次に説明するようなマイクロ波プラズマアシストＣＶＤ法を用いた製造方法により製造することができる。具体的な製造方法としては、以下の通りである。まず、水素ガスが充満したチャンバー内に水素プラズマを生成し、そこにボロン種を溶解したアセトンとメタノールの混合ガスを導入し、炭素源を導入し、例えばシリコン基板等の導電性（又は半導電性）基板上に気相成長させる。基板としてはシリコン基板｛Ｓｉ（１００）｝を用い、基板表面をテクスチャー処理（例えば、０．５μｍのダイヤモンド粉による研磨）した後、基板を成膜装置のホルダーにセットする。成膜用ソースとしては、アセトンとメタノールの混合物（液体で、混合比は体積比９：１）を用い、この混合物に酸化ホウ素（Ｂ２Ｏ３）をホウ素／炭素（Ｂ／Ｃ）比で１０４ｐｐｍとなるように溶解する。そして、この成膜用ソースにキャリアーガスとして純Ｈ２ガスを通した後、チャンバー内に導入し、予め別ラインで水素（例えば、５３２ｍｌ／ｍｉｎ）を流して所定圧力（例えば、１１５Ｔｏｒｒ＝１１５×１３３．３２２Ｐａ）となるように調整する。そして、２．４５ＧＨｚのマイクロ波電力を注入し、放電させた後、電力が５ｋＷとなるように調整する。そして、安定したところで、成膜用ソースにキャリアーガスとして純Ｈ２ガス（例えば、１５ｍｌ／ｍｉｎ）を流して成膜を行う。
【００４０】
上記のマイクロ波プラズマアシストＣＶＤ法を用いた製造方法により、成膜速度１〜４μｍ／時で、約３０μｍの厚さとなるまでダイヤモンド薄膜の成膜を行ったところ、基板の加熱は行わなかったが、定常状態において約８５０〜９５０℃の温度となっていることが観察された。また、得られたダイヤモンド薄膜のラマンスペクトルをとると、１３３３ｃｍ−１に単一ピークのみが観察された。また、電気伝導度は約１０−３Ωｃｍ程度であり、０．５Ｍ硫酸中においてサイクリックボルタモグラムを測定した結果、−１．２５〜＋２．３Ｖ（対ＳＨＥ）と、広い電位窓を有することが確認できた。
【００４１】
前記作用電極５としてカーボン電極を用いる場合は、例えばグラッシーカーボン電極が好適に用いられる。グラッシーカーボン電極は、電気伝導度がよく、化学薬品に安定で、ガスを通さないという熱分解グラファイトと同様な性質を有し、しかも安価で、水素発生や酸素発生に対して過電圧が比較的大きい等の特徴を有する。
【００４２】
前記対電極４としては、例えば白金、炭素、ステンレス、金、ダイヤモンド、ＳｎＯ２等を用いることができる。
【００４３】
前記作用電極５と前記対電極４との間に印加する電圧は、測定効率及び精度の観点から、最大電流値を与える電圧であることが好ましい。ここで、最大電流値を与える電圧とは、例えばサイクリックボルタンメトリーにより、最大電流値を与える電圧である。また、最大電流値を与える電圧は、回転電極法又はマイクロ電極法により求めることもできる。回転電極法又はマイクロ電極法によれば、測定条件等による測定誤差の可能性をより排除できる点で有利である。
【００４４】
前記参照電極６としては公知のものを利用することができ、標準水素電極、銀塩化銀電極、水銀塩化水銀電極、水素パラジウム電極等を用いることができる。
【００４５】
前記電気化学測定装置は、対電極４、作用電極５及び参照電極６が備わった三電極法による測定を行うものであるが、本発明に係る測定方法を行うための電気化学測定装置としては、作用電極５及び対電極４のみを備えた二電極法によるものであってもよい。三電極法の方が、作用電極５と対電極４との間に印加する電圧の絶対値を制御することができるので、精度及び感度の高い測定を行うことが可能であるが、二電極法によれば、用いる電極が作用電極５及び対電極４の２電極ですむので、フローセル３の構造を単純化、小型化することができ、測定セルをチップ化し使い捨てとすることも可能で、より簡便な測定を行いうる。
【００４６】
アジ化物の測定に際しては、まず、測定対象のアジ化物を含有しないキャリア溶液のみをフローセル３に流し、いわゆるバックグラウンド電流をできるだけ小さくし、かつ安定させる。ここで、ダイヤモンド電極はバックグラウンド電流が小さいことを特長とする。次に、アジ化物を含有する試料溶液１をフローセル３に流す。
【００４７】
次いで、前記作用電極５と対電極との４間に電圧を印加することにより、測定対象のアジ化物が作用電極５上で酸化又は還元され、酸化還元反応に伴う電流が発生する。この電流（電気信号）はポテンショガルバノスタット７に伝達し、ポテンショガルバノスタット７で検出された信号は情報処理装置８により解析される。この情報処理装置８は、ＣＰＵ、内部メモリ、ＨＤＤ等の外部記憶装置、モデム等の通信インタフェース、ディスプレイ、マウスやキーボードといった入力手段等を有する。そして、前記内部メモリや外部記憶装置等の所定領域に設定したプログラムにしたがって電気信号を解析し、アジ化物の検出や濃度の算出を行う。かかる情報処理装置８は、汎用のコンピュータであってもよく、専用のものであってもよい。
【００４８】
図３は、作用電極５としてボロンドープダイヤモンド電極、対電極４として白金、参照電極６としてＳＣＥを用い、試料溶液１としてアジ化ナトリウムを５０μｇ／ｍｌの濃度となるようにＢＲＢ（ブリトンロビンソン緩衝液）に溶解したアジ化ナトリウム水溶液を用い、この水溶液のｐＨをｐＨ２からｐＨ１２まで変化させて直線掃引（１００ｍＶ／ｓ）によるサイクリックボルタンメトリーにより測定し、得られたボルタモグラムを示す。図３に示すように、いずれのｐＨでも最大電流値は１．１２Ｖ付近にあり、ｐＨを変えてもピーク電圧に影響はなかった。
【００４９】
図４は、図３と同様の電極を用い、試料溶液１としてアジ化ナトリウムを２０μｇ／ｍｌの濃度となるようにリン酸緩衝液に溶解したアジ化ナトリウム水溶液を用いて、これを直線掃引（１００ｍＶ／ｓ）によるサイクリックボルタンメトリーにより測定し、得られたボルタモグラムを示す。図４に示すように、２０μｇ／ｍｌという低濃度のアジ化ナトリウム水溶液でも明瞭なピーク電圧が測定できた。
【００５０】
図５は、図３と同様の電極を用い、試料溶液１としてアジ化ナトリウムをリン酸緩衝液に溶解し濃度をそれぞれ２０、４０、６０、８０、１００μｇ／ｍｌに調整したアジ化ナトリウム水溶液を用いて、これらを直線掃引（１００ｍＶ／ｓ）によるサイクリックボルタンメトリーにより測定し、得られたボルタモグラムを示す。図６は図５で得られた結果に基づき、＋１．１Ｖ付近にあるピーク電位での電流値を基に作成した検量線を示す。図６に示すように、アジ化ナトリウム濃度と最大電流値が良好に相関した検量線が作成できた。従って、微量（低濃度）なアジ化ナトリウムであっても正確に測定することが可能である。
【００５１】
なお、本発明は前記実施形態に限られるものではなく、例えば、セルがフロー型であるもの以外にバッチ型の電気化学測定装置を使用してもよい。
【００５２】
また、本発明に係る測定方法はアンペロメトリーによるものであってもよい。
【産業上の利用可能性】
【００５３】
本発明によって、毒性の高いアジ化物の検出・濃度測定を、迅速かつ高精度に行うことが可能となる。
【図面の簡単な説明】
【００５４】
【図１】本発明の一実施形態を示す電気化学測定装置の概要図。
【図２】図１に示す電気化学測定装置のフローセルの構成を示す概要図。
【図３】ボロンドープダイヤモンド電極を用いて、アジ化ナトリウム水溶液に対して該水溶液のｐＨを変えて直線掃引（１００ｍＶ／ｓ）によるサイクリックボルタンメトリーを行い得られたボルタモグラム。
【図４】ボロンドープダイヤモンド電極を用いて、低濃度のアジ化ナトリウム水溶液に対して直線掃引（１００ｍＶ／ｓ）によるサイクリックボルタンメトリーを行い得られたボルタモグラム。
【図５】ボロンドープダイヤモンド電極を用いて、アジ化ナトリウム水溶液に対して該水溶液の濃度を変えて直線掃引（１００ｍＶ／ｓ）によるサイクリックボルタンメトリーを行い得られたボルタモグラム。
【図６】図５に示すボルタモグラムに基づき作成した検量線。
【図７】金属電極を用いて、アジ化ナトリウム水溶液に対して直線掃引（１００ｍＶ／ｓ）によるサイクリックボルタンメトリーを行い得られたボルタモグラム。
【符号の説明】
【００５５】
１・・・試料溶液
２・・・ポンプ
３・・・フローセル
４・・・対電極
５・・・作用電極
６・・・参照電極
７・・・ポテンショガルバノスタット
８・・・情報処理装置
【図１】
2007064945.tif 000003
【図２】
2007064945.tif 000004
【図３】
2007064945.tif 000005
【図４】
2007064945.tif 000006
【図５】
2007064945.tif 000007
【図６】
2007064945.tif 000008
【図７】
2007064945.tif 000009